(57)【要約】      （修正有）【課題】学習を促すこと及び手遊びができる両面バランスおもちゃを提供する。【解決手段】両面バランスおもちゃは、おもちゃ本体１と、当該おもちゃ本体１の前側に設けられ、且つくちばし部２１を備える頭部２と、当該くちばし部２１の下に設けられる支点部３と、当該おもちゃ本体１の後側に設けられる尻尾部４と、当該おもちゃ本体１の左側に設けられ、且つ当該くちばし部２１より前に突出する左翼の前端部５１及び内蔵する第一バランスウェイト５２を備える左翼５と、当該おもちゃ本体１の右側に設けられて、水平状態から垂直状態に素早くて変わり、他の形で重心及びてこの原理を呈することで、学習を促すこと及び手遊びができ、また、くちばし部２１より前に突出する右翼の前端部６１及び内蔵する第二バランスウェイト６２を備える右翼６とを備え、両面バランスおもちゃの頂部の面に第一実施状態を呈する第一飾り部１０が設けられ、当該両面バランスおもちゃの底部の面に第二実施状態を呈する第二飾り部が設けられる。【選択図】図1
0003213245.tif 000002
【実用新案登録請求の範囲】
【請求項１】
おもちゃ本体と、
当該おもちゃ本体の前側に設けられ、且つくちばし部を備える頭部と、
当該くちばし部の下に設けられる支点部と、
当該おもちゃ本体の後側に設けられる尻尾部と、
当該おもちゃ本体の左側に設けられ、且つ当該くちばし部より前に突出する左翼の前端部及び内蔵する第一バランスウェイトを備える左翼と、
当該おもちゃ本体の右側に設けられ、且つ当該くちばし部より前に突出する右翼の前端部及び内蔵する第二バランスウェイトを備える右翼とを備え、
両面バランスおもちゃの頂部の面に第一実施状態を呈する第一飾り部が設けられ、当該両面バランスおもちゃの底部の面に第二実施状態を呈する第二飾り部が設けられることを特徴とする両面バランスおもちゃ。
【請求項２】
前記尻尾部にさらに前記第二実施状態に相対する立体飾り部が設けられることを特徴とする請求項1に記載の両面バランスおもちゃ。
【請求項３】
前記支点部は球形であることを特徴とする請求項1に記載の両面バランスおもちゃ。
【請求項４】
前記支点部は磁石、磁性体のいずれか一つであることを特徴とする請求項1に記載の両面バランスおもちゃ。
【請求項５】
前記第一実施状態及び前記第二実施状態が互いに上下逆であることを特徴とする請求項1に記載の両面バランスおもちゃ。
【請求項６】
前記尻尾部はさらに当該尻尾部の上に設けられるバランスウェイトを備えることを特徴とする請求項1に記載の両面バランスおもちゃ。
【考案の詳細な説明】
【技術分野】
【０００１】
本考案はバランスおもちゃに関し、特に両面バランスおもちゃに関するものである。
【背景技術】
【０００２】
科学玩具の中に、重心の原理を応用する玩具があり、物品の重心が支点より高い場合に、該物品のバランスが容易に崩れ、その原因は、支点が重心からの鉛直線の上にない場合に、モーメントが発生することで物品が回転する。
【０００３】
バランスバーズのような科学玩具は上述した原理を応用することで、転倒しないように平穏に使用者の指に乗ることができる。バランスバーズのバランスを取ることができる理由は、てこの原理で支点と力点と作用点との間にバランスを取ることである。
【０００４】
バランスバーズのくちばしは支点で、両翼からくちばしの距離はトルクであり、重心が支点の下にあること及び両翼の重量は同じであることにより、同じトルクが発生することで、バランスを保つようになり、品質の変化がない限り、バランスバーズはバランスを保つ状態に戻る。
【考案の概要】
【考案が解決しようとする課題】
【０００５】
従来のバランスバーズは、外見の変化があったが、特徴は大きく変わらないので、使用者にとって、学習を促しすること及び手遊びの効果が段々なくなる。そこで、上記の欠点に対して改善でき、学習を促すこと及び手遊びができる両面バランスおもちゃを提供することが本考案の課題となる。
【課題を解決するための手段】
【０００６】
本考案の目的は、前記問題点を解決するため、学習を促すこと及び手遊びができる両面バランスおもちゃを提供することである。
【０００７】
前記問題点を解決でき、上記目的を達成するために、本考案の両面バランスおもちゃは、おもちゃ本体と、当該おもちゃ本体の前側に設けられ、且つくちばし部を備える頭部と、当該くちばし部の下に設けられる支点部と、当該おもちゃ本体の後側に設けられる尻尾部と、当該おもちゃ本体の左側に設けられ、且つ当該くちばし部より前に突出する左翼の前端部及び内蔵する第一バランスウェイトを備える左翼と、当該おもちゃ本体の右側に設けられ、且つ当該くちばし部より前に突出する右翼の前端部及び内蔵する第二バランスウェイトを備える右翼とを備え、両面バランスおもちゃの頂部の面に第一実施状態を呈する第一飾り部が設けられ、当該両面バランスおもちゃの底部の面に第二実施状態を呈する第二飾り部が設けられる。
【０００８】
前記尻尾部にさらに前記第二実施状態に相対する立体飾り部が設けられることが好ましい。
【０００９】
前記支点部は球形であることが好ましい。
【００１０】
前記支点部は磁石、磁性体のいずれか一つであることが好ましい。
【００１１】
前記第一実施状態及び前記第二実施状態が互いに上下逆であることが好ましい。
【００１２】
前記尻尾部はさらに当該尻尾部の上に設けられるバランスウェイトを備えることが好ましい。
【考案の効果】
【００１３】
本考案は、従来の技術と比べて、次に列挙する効果がある。
【００１４】
1. 本考案の両面バランスおもちゃは、おもちゃ本体、頭部、支点部、尻尾部、左翼及び右翼により、水平状態から垂直状態に素早くて変わり、他の形で重心及びてこの原理を呈することで、学習を促すこと及び手遊びができる。
【００１５】
2. 本考案の両面バランスおもちゃは、第一飾り部及び第二飾り部で、第一実施状態及び第二実施状態の二つの様式を呈するようになる。
【図面の簡単な説明】
【００１６】
【図１】：本考案を示す斜視図
【図２】：本考案の他の角度を示す斜視図
【図３】：本考案の実施状態を示す図
【図４】：本考案の実施状態を示す側面図
【考案を実施するための形態】
【００１７】
以下、本考案の実施の形態について、図面を参照して詳細に説明する。
【００１８】
図1及び図2に示すように、本考案の両面バランスおもちゃ100は、おもちゃ本体1と、当該おもちゃ本体1の前側に設けられ、且つくちばし部21を備える頭部2と、当該くちばし部21の下に設けられる支点部3と、当該おもちゃ本体1の後側に設けられる尻尾部4と、当該おもちゃ本体1の左側に設けられ、且つ当該くちばし部21より前に突出する左翼の前端部51及び内蔵する第一バランスウェイト52を備える左翼5と、当該おもちゃ本体1の右側に設けられ、且つ当該くちばし部21より前に突出する右翼の前端部61及び内蔵する第二バランスウェイト62を備える右翼6とを備え、両面バランスおもちゃ100の頂部の面に第一実施状態Aを呈する第一飾り部10が設けられ、当該両面バランスおもちゃの底部の面に第一実施状態Aと異なる第二実施状態Bを呈する第二飾り部20が設けられる。
【００１９】
前記の設置方法で、前記おもちゃ本体1、前記頭部2、前記支点部3、前記尻尾部4、前記左翼5及び前記右翼6によって前記両面バランスおもちゃ100が組み立てられ、当該両面バランスおもちゃ100が水平状態から垂直状態に素早く変わるようになり、異なる様式で重心及びてこの原理を応用することを呈することができる。
【００２０】
また、前記第一飾り部10の前記第一実施状態A及び前記第二飾り部20の前記第二実施状態Bにより、前記両面バランスおもちゃ100は二つの様式を呈するようになる。
【００２１】
なお、前記第一飾り部10及び前記第二飾り部20に塗装を実施することが好ましい。
【００２２】
図2に示すように、前記尻尾部4にさらに前記第二実施状態Bに相対する立体飾り部41が設けられる
【００２３】
前記立体飾り部41により、前記第二実施状態Bが立体的な形で呈するようになり、当該第二実施状態Bはさらに立体感を持つようになる。
【００２４】
図2に示すように、前記支点部3は球形であり、当該支点部3により、本考案の前記両面バランスおもちゃ100は順調に水平状態から垂直状態に変わるようになる。
【００２５】
図1及び図2に示すように、前記支点部3は磁石、磁性体のいずれか一つであり、基台Tの材質によって当該支点部3の材質が決めされ、前記基台Tの材質は磁性体である場合に、当該支点部3の材質は磁石であり、当該支点部3の材質は磁性体である場合に、当該基台Tの材質は磁石であり、本考案の前記両面バランスおもちゃ100は当該基台Tから容易に外さないようになる。
【００２６】
前記第一実施状態A及び前記第二実施状態Bが互いに上下逆である。この二つの実施状態により、本考案の前記両面バランスおもちゃ100の水平状態及び垂直状態が別々に当該第一実施状態A及び当該第二実施状態Bに対応することで、使用者は使用中の状態を容易に判明できる。
【００２７】
図1に示すように、前記尻尾部4はさらに当該尻尾部4の上に設けられるバランスウェイト42を備える。前記立体飾り部41の重量は全体のバランスに影響を与える場合に、当該バランスウェイト42により、当該立体飾り部41の影響が相殺され、本考案の前記両面バランスおもちゃ100が平穏に前記基台Tに乗れるようになる。
【００２８】
図3及び図4に示すように、本考案の前記両面バランスおもちゃ100が前記支点部3で位置決めされるようになり、当該支点部3の変動により、重心が変化するようになり、使用する場合に、手を離すと図3に示す水平状態から素早くて垂直状態に転換するようになる。
【００２９】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００３０】
1 おもちゃ本体        6 右翼
2 頭部               61 右翼の前端部 
21 くちばし部         62 第二バランスウェイト
3 支点部             10 第一飾り部
4 尻尾部             20 第二飾り部
41 立体飾り部        100 両面バランスおもちゃ
42 バランスウェイト    A 第一実施状態
5 左翼                B 第二実施状態
51 左翼の前端部        T 基台
52 第一バランスウェイト
【図１】
0003213245.tif 000003
【図２】
0003213245.tif 000004
【図３】
0003213245.tif 000005
【図４】
0003213245.tif 000006